(57)【要約】【課題】照明器具の安全性を向上する。【解決手段】照明器具用アダプタ１００は、給電用の第一端子１２１、第二端子１２２と異なる、接地用の第三端子１２３を備えている。また、照明器具用アダプタ１００は、アダプタ筐体１１０の内部から外側に引き出されたアダプタコネクタ部１８０と、アダプタ筐体１１０の内部から外側に引き出されたアース引き出し部１９０とを備えている。第一端子１２１及び第二端子１２２のそれぞれは、一方の端部１２１ａ、１２２ａがアダプタ筐体１１０の第一面１１１ａから外側に突出し、他方の端部１２１ｂ、１２２ｂがアダプタ筐体１１０の内部にてアダプタコネクタ部１８０に接続されている。第三端子１２３は、一方の端部１２３ａがアダプタ筐体１１０の第一面１１１ａから外側に突出し、他方の端部１２３ｂがアダプタ筐体１１０の内部にてアース引き出し部１９０に接続されている。【選択図】図２
2020087657.tif 000002
【特許請求の範囲】
【請求項１】
引掛シーリングボディと照明器具の器具本体とを接続するための照明器具用アダプタであって、
前記引掛シーリングボディに対向する第一面、前記第一面と反対側の第二面、及び、前記第一面と前記第二面とを繋ぐ側壁を有するアダプタ筐体と、
給電用の第一端子及び第二端子と、
接地用の第三端子と、
前記アダプタ筐体の内部から外側に引き出されたアダプタコネクタ部と、
前記アダプタ筐体の内部から外側に引き出されたアース引き出し部と
を備え、
前記第一端子及び前記第二端子のそれぞれは、一方の端部が前記アダプタ筐体の前記第一面から外側に突出し、他方の端部が前記アダプタ筐体の内部にて前記アダプタコネクタ部に接続され、
前記第三端子は、一方の端部が前記アダプタ筐体の前記第一面から外側に突出し、他方の端部が前記アダプタ筐体の内部にて前記アース引き出し部に接続されている
照明器具用アダプタ。
【請求項２】
前記アース引き出し部は、前記アダプタ筐体の前記第二面から引き出されている
請求項１に記載の照明器具用アダプタ。
【請求項３】
前記アース引き出し部は、前記アダプタ筐体の前記側壁から引き出されている
請求項１に記載の照明器具用アダプタ。
【請求項４】
請求項１〜３のいずれか１項に記載の照明器具用アダプタと、
当該照明器具用アダプタに接続される前記器具本体と
を備える照明器具であって、
前記器具本体は、器具筐体と、前記器具筐体に設けられた器具コネクタと、前記器具コネクタに電気的に接続される発光部とを備え、
前記アダプタコネクタ部は、前記器具コネクタに接続され、
前記アース引き出し部は、前記器具筐体に接続される
照明器具。
【請求項５】
引掛シーリングボディと、
前記引掛シーリングボディに接続される請求項１〜３のいずれか１項に記載の照明器具用アダプタと、
前記照明器具用アダプタに接続される前記器具本体と
を備える照明器具セットであって、
前記引掛シーリングボディは、建物に敷設された複数の電力供給線に１対１で接続される複数の電力供給部と、前記建物に敷設されたアース線に接続されるアース部とを有し、
前記照明器具用アダプタの前記第一端子及び前記第二端子は、前記複数の電力供給部に１対１で接続され、前記第三端子は前記アース部に接続される
照明器具セット。
【発明の詳細な説明】
【技術分野】
【０００１】
本発明は、天井に設けられた引掛シーリングボディに照明器具本体を接続するための照明器具用アダプタ、照明器具用アダプタと照明器具本体とを備える照明器具、及び、引掛シーリングボディと照明器具とを備える照明器具セットに関する。
【背景技術】
【０００２】
従来、天井に設けられた引掛シーリングボディに照明器具本体を電気的及び機械的に接続するための照明器具用アダプタが知られている（例えば、特許文献１参照）。
【先行技術文献】
【特許文献】
【０００３】
【特許文献１】特開２０１１−１５４８８９号公報
【発明の概要】
【発明が解決しようとする課題】
【０００４】
本発明は、照明器具の安全性を向上することができる照明器具用アダプタ、照明器具、及び、照明器具セットを提供する。
【課題を解決するための手段】
【０００５】
本発明の一態様に係る照明器具用アダプタは、引掛シーリングボディと照明器具の器具本体とを接続するための照明器具用アダプタであって、前記引掛シーリングボディに対向する第一面、前記第一面と反対側の第二面、及び、前記第一面と前記第二面とを繋ぐ側壁を有するアダプタ筐体と、給電用の第一端子及び第二端子と、接地用の第三端子と、前記アダプタ筐体の内部から外側に引き出されたアダプタコネクタ部と、前記アダプタ筐体の内部から外側に引き出されたアース引き出し部とを備え、前記第一端子及び前記第二端子のそれぞれは、一方の端部が前記アダプタ筐体の前記第一面から外側に突出し、他方の端部が前記アダプタ筐体の内部にて前記アダプタコネクタ部に接続され、前記第三端子は、一方の端部が前記アダプタ筐体の前記第一面から外側に突出し、他方の端部が前記アダプタ筐体の内部にて前記アース引き出し部に接続されている。
【０００６】
本発明の一態様に係る照明器具は、上記照明器具用アダプタと、当該照明器具用アダプタに接続される前記器具本体とを備える照明器具であって、前記器具本体は、器具筐体と、前記器具筐体に設けられた器具コネクタと、前記器具コネクタに電気的に接続される発光部とを備え、前記アダプタコネクタ部は、前記器具コネクタに接続され、前記アース引き出し部は、前記器具筐体に接続される。
【０００７】
本発明の一態様に係る照明器具セットは、引掛シーリングボディと、前記引掛シーリングボディに接続される上記照明器具用アダプタと、前記照明器具用アダプタに接続される前記器具本体とを備える照明器具セットであって、前記引掛シーリングボディは、建物に敷設された複数の電力供給線に１対１で接続される複数の電力供給部と、前記建物に敷設されたアース線に接続されるアース部とを有し、前記照明器具用アダプタの前記第一端子及び前記第二端子は、前記複数の電力供給部に１対１で接続され、前記第三端子は前記アース部に接続される。
【発明の効果】
【０００８】
本発明によれば、照明器具の安全性を向上することができる照明器具用アダプタ、照明器具、及び、照明器具セットが実現される。
【図面の簡単な説明】
【０００９】
【図１】図１は、実施の形態に係る照明器具の分解斜視図である。
【図２】図２は、実施の形態に係る照明器具用アダプタを下方から見た外観斜視図である。
【図３】図３は、実施の形態に係る照明器具用アダプタを上方から見た外観斜視図である。
【図４】図４は、実施の形態に係る照明器具用アダプタを上方から見た分解斜視図である。
【図５】図５は、実施の形態に係る照明器具用アダプタを下方から見た分解斜視図である。
【図６】図６は、実施の形態に係る照明器具を引掛シーリングボディに取り付けた後の模式図である。
【図７】図７は、実施の形態の変形例１に係る照明器具用アダプタを上方から見た外観斜視図である。
【発明を実施するための形態】
【００１０】
以下、実施の形態について、図面を参照しながら説明する。以下で説明する実施の形態は、いずれも包括的または具体的な例を示すものである。以下の実施の形態で示される数値、形状、材料、構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。
【００１１】
また、各図は模式図であり、必ずしも厳密に図示されたものではない。また、各図において、実質的に同一の構成に対しては同一の符号を付し、重複する説明は省略または簡略化される場合がある。また、下記の実施の形態において、「ほぼ」または「略」の表現には、製造誤差や寸法公差等を含むという意味もある。
【００１２】
また、以下の実施の形態で説明に用いられる図面においては座標軸が示される場合がある。Ｚ軸方向は、照明器具の高さ方向として説明される。Ｚ軸＋側は、上側（上方）と表現され、Ｚ軸−側は、下側（下方）と表現される場合がある。また、Ｘ軸方向及びＹ軸方向は、Ｚ軸方向に垂直な平面上において、互いに直交する方向である。以下の実施の形態において、平面視とは、Ｚ軸方向から見ることを意味する。
【００１３】
（実施の形態）
［１．照明器具の構造］
まず、実施の形態に係る照明器具の構造について、図１〜図３を参照しながら説明する。
【００１４】
図１は、実施の形態に係る照明器具３００の分解斜視図である。図２は、実施の形態に係る照明器具用アダプタ１００を下方から見た外観斜視図である。図３は、実施の形態に係る照明器具用アダプタ１００を上方から見た外観斜視図である。なお、図１には、天井などの構造物に設けられる引掛シーリングボディ２００と、引掛シーリングボディ２００及び照明器具３００を備える照明器具セット４００とが図示されている。
【００１５】
図１〜図３に示されるように、照明器具３００は、照明器具用アダプタ１００と、器具本体３１０と、光源ユニット３２０ａ及び３２０ｂと、器具コネクタ３３０と、蓋３４０と、グローブ３５０とを備える。器具本体３１０には、取り付け孔３６０が設けられている。
【００１６】
器具本体３１０には、光源ユニット３２０ａ及び光源ユニット３２０ｂと、光源ユニット３２０ａ及び光源ユニット３２０ｂに電気的に接続された器具コネクタ３３０とが設けられている。また、器具本体３１０の中央部分には、円形の取り付け孔３６０が設けられている。器具筐体３１５は、例えば金属製であり、導電性を有している。器具筐体３１５には、器具側アース端子３１３が設けられている。
【００１７】
光源ユニット３２０ａ及び光源ユニット３２０ｂは、それぞれが内部に複数のＬＥＤを有する発光部であり、例えば、グローブ３５０（下方）に向けて光を発する。
【００１８】
器具コネクタ３３０は、照明器具用アダプタ１００に接続されるコネクタである。器具コネクタ３３０が照明器具用アダプタ１００に接続されることにより、器具本体３１０に電力が供給される。
【００１９】
グローブ３５０は、透光性を有する光学部材であり、グローブ３５０の平面視形状は、角丸矩形状である。グローブ３５０は、器具本体３１０の下面を覆うように器具本体３１０に取り付けられる。グローブ３５０の平面視形状は、円形であってもよい。
【００２０】
照明器具用アダプタ１００は、引掛シーリングボディ２００と照明器具３００の器具本体３１０とを接続するためのアダプタである。照明器具用アダプタ１００は、アダプタ筐体１１０を備え、アダプタ筐体１１０の第一面１１１ａからは、断面Ｌ字状をした給電用の第一端子１２１及び第二端子１２２が突出している。第一端子１２１が引掛シーリングボディ２００の挿通孔２１１に挿通され、かつ、第二端子１２２が挿通孔２１２に挿通された状態で照明器具用アダプタ１００が引掛シーリングボディ２００に対して取り付け方向に回動されることで、照明器具用アダプタ１００は、引掛シーリングボディ２００に取り付けられる。言い換えれば、照明器具用アダプタ１００は、引掛シーリングボディ２００に機械的及び電気的に接続される。
【００２１】
また、アダプタ筐体１１０の側壁１１３からは第一係止部材１３１及び第二係止部材１３２が突出しており、第一係止部材１３１及び第二係止部材１３２は、アダプタ筐体１１０に収容された弾性部材（図１〜図３で図示せず）により、アダプタ筐体１１０の内側から外側に向かって付勢されている。第一係止部材１３１及び第二係止部材１３２のそれぞれは、器具本体３１０を照明器具用アダプタ１００に係止させるための係止部材である。
【００２２】
ユーザは、取り付け孔３６０に照明器具用アダプタ１００のアダプタ筐体１１０が挿入されるように器具本体３１０を押し上げる。このとき、取り付け孔３６０の内周面と、第一係止部材１３１及び第二係止部材１３２の端部の傾斜面とが当接し、第一係止部材１３１及び第二係止部材１３２が、弾性部材の付勢力に抗してアダプタ筐体１１０の内側に向けて押し込まれる。
【００２３】
第一係止部材１３１及び第二係止部材１３２が取り付け孔３６０を通過すると、取り付け孔３６０の内周面と、第一係止部材１３１及び第二係止部材１３２の端部の傾斜面との当接が解消される。この結果、第一係止部材１３１及び第二係止部材１３２が、アダプタ筐体１１０内の弾性部材により与えられる付勢力によってアダプタ筐体１１０の外側に突出する。そうすると、器具本体３１０の取り付け孔３６０の周縁部分が、第一係止部材１３１及び第二係止部材１３２に係止する。
【００２４】
その後、ユーザは、照明器具用アダプタ１００に設けられたアダプタコネクタ部１８０を器具本体３１０の器具コネクタ３３０に接続する。また、照明器具用アダプタ１００に設けられたアース引き出し部１９０を器具本体３１０の器具側アース端子３１３に接続する。そして、取り付け孔３６０を下面側から覆う蓋３４０と、グローブ３５０とを装着する。これにより、引掛シーリングボディ２００への照明器具３００の取り付けが完了する。
【００２５】
本実施の形態の照明器具用アダプタ１００は、給電用の第一端子１２１、第二端子１２２と異なる、接地用の第三端子１２３をさらに備えている。また、照明器具用アダプタ１００は、アダプタ筐体１１０の内部から外側に引き出されたアダプタコネクタ部１８０を備え、さらに、アダプタ筐体１１０の内部から外側に引き出されたアース引き出し部１９０を備えている。
【００２６】
第一端子１２１及び第二端子１２２のそれぞれは、一方の端部１２１ａ、１２２ａがアダプタ筐体１１０の第一面１１１ａから外側（上方）に突出し、他方の端部１２１ｂ、１２２ｂがアダプタ筐体１１０の内部にてアダプタコネクタ部１８０に接続されている。第三端子１２３は、一方の端部１２３ａがアダプタ筐体１１０の第一面１１１ａから外側（上方）に突出し、他方の端部１２３ｂがアダプタ筐体１１０の内部にてアース引き出し部１９０に接続されている。
【００２７】
照明器具用アダプタ１００が上記構造を有することで、器具本体３１０を照明器具用アダプタ１００に取り付けた場合に、第一端子１２１、第二端子１２２をアダプタコネクタ部１８０を介して器具本体３１０に接続し、第三端子１２３をアース引き出し部１９０を介して器具本体３１０に接続することができる。これにより、器具本体３１０に電力を供給し、かつ、器具本体３１０を接地することが可能となり、照明器具３００の安全性を向上することができる。アース引き出し部１９０等の詳しい構造については後述する。
【００２８】
［２．照明器具用アダプタの構造］
次に、照明器具用アダプタ１００の構造について、図１〜図３に加えて図４及び図５を参照しながら説明する。
【００２９】
図４は、実施の形態に係る照明器具用アダプタ１００を上方から見た分解斜視図である。図５は、実施の形態に係る照明器具用アダプタ１００を下方から見た分解斜視図である。なお、図４及び図５では、部材同士を固定するねじについては、図示が省略される。
【００３０】
図４及び図５に図示されるように、照明器具用アダプタ１００は、アダプタ筐体１１０と、第一端子１２１と、第二端子１２２と、第三端子１２３と、アダプタコネクタ部１８０と、アース引き出し部１９０と、第一係止部材１３１と、第二係止部材１３２と、弾性部材１７０と、第一レバー１６１と、第二レバー１６２とを備えている。なお、照明器具用アダプタ１００は、ロック部１４５及びロック解除ボタン１４０を備えているが、本実施の形態ではそれらの説明を省略する。
【００３１】
アダプタ筐体１１０は、照明器具用アダプタ１００が備える各構成要素を収容する略扁平円筒状の部材である。アダプタ筐体１１０は、引掛シーリングボディ２００に対向する第一面１１１ａ、第一面１１１ａと反対側の第二面１１２ａ、並びに、第一面１１１ａ及び第二面１１２ａの両方に交差し、第一面１１１ａ及び第二面１１２ａを繋ぐ側壁１１３を有する。
【００３２】
また、アダプタ筐体１１０は、第一面１１１ａ側の本体部１１１と、第二面１１２ａ側のカバー１１２とを有する。本体部１１１は、第二面１１２ａ側が開口した略有底円筒状（扁平状）の部材である。本体部１１１は、例えば、絶縁性を有する樹脂材料により形成され、カバー１１２とともに照明器具用アダプタ１００のアダプタ筐体１１０を構成する。
【００３３】
本体部１１１の引掛シーリングボディ２００に対向する部分には、端子挿通孔１１１ａ１、端子挿通孔１１１ａ２、及び、端子挿通孔１１１ａ３が設けられる。端子挿通孔１１１ａ１からは第一端子１２１の一方の端部１２１ａが突出し、端子挿通孔１１１ａ２からは第二端子１２２の一方の端部１２２ａが突出し、端子挿通孔１１１ａ３からは第三端子１２３の一方の端部１２３ａが突出する。
【００３４】
本体部１１１の側壁１１３には、第一開口１１３ｃ１及び第二開口１１３ｃ２が設けられる。第一開口１１３ｃ１からは、第一係止部材１３１が本体部１１１の外側に向けて突出している。第二開口１１３ｃ２からは、第二係止部材１３２が本体部１１１の外側に向けて突出している。
【００３５】
カバー１１２は、本体部１１１の下面側を覆う樹脂製で板状の部材である。カバー１１２は、アダプタ筐体１１０の下面（接続面）を構成し、カバー１１２の中央には、開口１１２ｂが設けられる。当該開口１１２ｂからは、第一レバー１６１の被操作部１６１ａ及び第二レバー１６２の被操作部１６２ａが外部に露出する。
【００３６】
第一端子１２１、第二端子１２２及び第三端子１２３は、金属製の板状の部材である。第一端子１２１、第二端子１２２及び第三端子１２３は、本体部１１１の内側にネジによって固定される。
【００３７】
第一端子１２１の一方の端部１２１ａは、アダプタ筐体１１０の第一面１１１ａから外側（上方）に突出している。第一端子１２１の他方の端部１２１ｂは、アダプタ筐体１１０の内部にてアダプタコネクタ部１８０に接続される。
【００３８】
第二端子１２２の一方の端部１２２ａは、アダプタ筐体１１０の第一面１１１ａから外側（上方）に突出している。第二端子１２２の他方の端部１２２ｂは、アダプタ筐体１１０の内部にてアダプタコネクタ部１８０に接続される。
【００３９】
アダプタコネクタ部１８０は、第一端子１２１の他方の端部１２１ｂ及び第二端子１２２の他方の端部１２２ｂのそれぞれに接続される引き出し線１８０ｂと、引き出し線１８０ｂの先端に接続されるコネクタ本体１８０ａとを有している。引き出し線１８０ｂは、引き出し線１８０ｂと第二面１１２ａとの接点を付け根とし、第二面１１２ａから外側に引き出されている。
【００４０】
第三端子１２３は、一方の端部１２３ａがアダプタ筐体１１０の第一面１１１ａの外側（上方）に突出している。この一方の端部１２３ａが挿通孔２１３に挿通されることにより、第三端子１２３は、引掛シーリングボディ２００内のアース部２２３（図６参照）に電気的に接続される。第三端子１２３の他方の端部１２２ｂは、アダプタ筐体１１０の内部にてアース引き出し部１９０に接続される。
【００４１】
アース引き出し部１９０は、第三端子１２３の他方の端部１２３ｂに接続される引き出し線１９０ｂと、引き出し線１９０ｂの先端に接続される端子本体１９０ａとを有している。引き出し線１９０ｂは、引き出し線１９０ｂと第二面１１２ａとの接点を付け根とし、第二面１１２ａから外側に引き出されている。
【００４２】
第一係止部材１３１及び第二係止部材１３２は、照明器具用アダプタ１００が器具本体３１０を保持するための部材である。第一係止部材１３１は、弾性部材１７０によってアダプタ筐体１１０の内側から外部に向けて付勢されており、第一開口１１３ｃ１からアダプタ筐体１１０の外側に向けて突出している。第一係止部材１３１は、第一面１１１ａに平行な方向に力を受けることで、第一面１１１ａに平行な方向に移動する。第二係止部材１３２は、弾性部材１７０によってアダプタ筐体１１０の内側から外部に向けて付勢されており、第二開口１１３ｃ２からアダプタ筐体１１０の外側に向けて突出している。第二係止部材１３２は、第一面１１１ａに平行な方向に力を受けることで、第一面１１１ａに平行な方向に移動する。弾性部材１７０は、具体的には、ねじりばねであるが、その他の弾性部材であってもよい。
【００４３】
第一レバー１６１及び第二レバー１６２は、器具本体３１０を照明器具用アダプタ１００から取り外すために操作される樹脂製の部材である。第一係止部材１３１は、第一レバー１６１が操作されることにより、Ｙ軸方向に沿って移動する。第二係止部材１３２は、第二レバー１６２が操作されることにより、Ｙ軸方向に沿って移動する。ユーザは、第一レバー１６１の被操作部１６１ａ及び第二レバー１６２の被操作部１６２ａのそれぞれをアダプタ筐体１１０の中央部分から外側に向けて引くことで、第一係止部材１３１及び第二係止部材１３２をアダプタ筐体１１０内に移動させ、器具本体３１０を照明器具用アダプタ１００から取り外すことができる。
【００４４】
照明器具用アダプタ１００が上記構造を有することで、照明器具用アダプタ１００に対して器具本体３１０を簡易に着脱することができ、また、器具本体３１０を接地状態又は非接地状態とすることを簡易に行うことができる。
【００４５】
［３．照明器具及び引掛シーリングボディの組み合わせ構造］
次に、照明器具３００及び引掛シーリングボディ２００の組み合わせ構造について、図６を参照しながら説明する。
【００４６】
図６は、実施の形態に係る照明器具３００を引掛シーリングボディ２００に取り付けた後の模式図である。
【００４７】
図６に図示されるように、引掛シーリングボディ２００は、天井などの構造物に予め設置されている。そして、照明器具用アダプタ１００が引掛シーリングボディ２００に取り付けられ、その後、器具本体３１０が照明器具用アダプタ１００に取り付けられる。
【００４８】
引掛シーリングボディ２００は、絶縁性を有するボディ筐体２１５と、複数の電力供給部２２１、２２２と、アース部２２３とを有している。電力供給部２２１、２２２のそれぞれは、電力供給用の端子であり、ボディ筐体２１５の内部に配置されている。各電力供給部２２１、２２２は、建物に敷設された複数の電力供給線５２１、５２２に１対１で接続される。
【００４９】
アース部２２３は、接地用の端子である。アース部２２３は、ボディ筐体２１５の内部に配置されている。アース部２２３は、建物に敷設されたアース線５２３に接続される。
【００５０】
照明器具用アダプタ１００が引掛シーリングボディ２００に接続されると、第一端子１２１、第二端子１２２が、各電力供給部２２１、２２２に１対１で電気的に接続され、第三端子１２３がアース部２２３に電気的に接続される。具体的には、照明器具用アダプタ１００が引掛シーリングボディ２００に接続される際に、照明器具用アダプタ１００が上方移動及び回動され、各第一端子１２１、第二端子１２２が各電力供給部２２１、２２２に接続され、第三端子１２３がアース部２２３に接続される。
【００５１】
その後、器具本体３１０が照明器具用アダプタ１００に接続される。その接続の際、第一端子１２１、第二端子１２２に接続されたアダプタコネクタ部１８０のコネクタ本体１８０ａが、器具本体３１０の器具コネクタ３３０に接続される。これにより、器具本体３１０が、引掛シーリングボディ２００及び照明器具用アダプタ１００を介して電力の供給を受ける。
【００５２】
また、第三端子１２３に接続されたアース引き出し部１９０の端子本体１９０ａは、器具筐体３１５の下側の表面に設けられた器具側アース端子３１３に接続される。これにより、器具本体３１０が、引掛シーリングボディ２００及び照明器具用アダプタ１００を介して接地される。
【００５３】
［４．効果等］
以上説明したように、本実施の形態の照明器具用アダプタ１００は、引掛シーリングボディ２００と照明器具３００の器具本体３１０とを接続するアダプタである。照明器具用アダプタ１００は、引掛シーリングボディ２００に対向する第一面１１１ａ、第一面１１１ａと反対側の第二面１１２ａ、及び、第一面１１１ａと第二面１１２ａとを繋ぐ側壁１１３を有するアダプタ筐体１１０と、給電用の第一端子１２１及び第二端子１２２と、接地用の第三端子１２３と、アダプタ筐体１１０の内部から外側に引き出されたアダプタコネクタ部１８０と、アダプタ筐体１１０の内部から外側に引き出されたアース引き出し部１９０とを備える。第一端子１２１及び第二端子１２２のそれぞれは、一方の端部１２１ａ、１２２ａがアダプタ筐体１１０の第一面１１１ａから外側に突出し、他方の端部１２１ｂ、１２２ｂがアダプタ筐体１１０の内部にてアダプタコネクタ部１８０に接続されている。第三端子１２３は、一方の端部１２３ａがアダプタ筐体１１０の第一面１１１ａから外側に突出し、他方の端部１２３ｂがアダプタ筐体１１０の内部にてアース引き出し部１９０に接続されている。
【００５４】
照明器具用アダプタ１００が上記構造を有することで、例えば、器具本体３１０を照明器具用アダプタ１００に取り付けた場合に、第一端子１２１、第二端子１２２をアダプタコネクタ部１８０を介して器具本体３１０に接続し、第三端子１２３をアース引き出し部１９０を介して器具本体３１０に接続することができる。これにより、器具本体３１０に電力を供給し、かつ、器具本体３１０を接地することが可能となり、照明器具３００の安全性を向上することができる。
【００５５】
また、アース引き出し部１９０は、アダプタ筐体１１０の第二面１１２ａから引き出されていてもよい。
【００５６】
これによれば、例えば照明器具用アダプタ１００に器具本体３１０を取り付ける際に、アース引き出し部１９０の付け根と器具本体３１０の取り付け孔３６０とが干渉することを抑制できる。これにより、器具本体３１０を確実に接地することが可能となり、照明器具３００の安全性を向上することができる。
【００５７】
また、アース引き出し部１９０は、アダプタ筐体１１０の側壁１１３から引き出されていてもよい。
【００５８】
これによれば、アダプタコネクタ部１８０の付け根とアース引き出し部１９０の付け根とが、互いに異なる面から引き出されるので、接続先におけるアダプタコネクタ部１８０及びアース引き出し部１９０の接続ミスを抑制することができる。これにより、アース引き出し部１９０を用いて器具本体３１０を確実に接地することが可能となり、照明器具３００の安全性を向上することができる。
【００５９】
本実施の形態の照明器具３００は、上記照明器具用アダプタ１００と、照明器具用アダプタ１００に接続される器具本体３１０とを備える。器具本体３１０は、器具筐体３１５と、器具筐体３１５に設けられた器具コネクタ３３０と、器具コネクタ３３０に電気的に接続される発光部（光源ユニット）とを備える。アダプタコネクタ部１８０は、器具コネクタ３３０に接続され、アース引き出し部１９０は、器具筐体３１５に接続される。
【００６０】
このように、照明器具３００が上記照明器具用アダプタ１００を備えることで、安全性が向上した照明器具３００を提供することができる。
【００６１】
本実施の形態の照明器具セット４００は、引掛シーリングボディ２００と、引掛シーリングボディ２００に接続される上記照明器具用アダプタ１００と、照明器具用アダプタ１００に接続される器具本体３１０とを備える。引掛シーリングボディ２００は、建物に敷設された複数の電力供給線５２１、５２２に１対１で接続される複数の電力供給部２２１、２２２と、建物に敷設されたアース線５２３に接続されるアース部２２３とを有する。照明器具用アダプタ１００の第一端子１２１及び第二端子１２２は、複数の電力供給部２２１、２２２に１対１で接続され、第三端子１２３はアース部２２３に接続される。
【００６２】
このように、照明器具３００が上記照明器具用アダプタ１００を備えることで、安全性が向上した照明器具セット４００を提供することができる。
【００６３】
［５．実施の形態の変形例１］
次に、実施の形態の変形例１に係る照明器具用アダプタ１００Ａについて、図７を参照しながら説明する。変形例１では、アース引き出し部１９０が、アダプタ筐体１１０の側壁１１３から引き出されている例について説明する。
【００６４】
図７は、実施の形態の変形例１に係る照明器具用アダプタ１００Ａを上方から見た外観斜視図である。
【００６５】
図７に図示されるように、照明器具用アダプタ１００Ａは、アダプタ筐体１１０と、第一端子１２１と、第二端子１２２と、第三端子１２３と、アダプタコネクタ部１８０と、アース引き出し部１９０と、第一係止部材１３１と、第二係止部材１３２と、弾性部材１７０と、第一レバー１６１と、第二レバー１６２とを備えている。
【００６６】
第三端子１２３は、一方の端部１２３ａがアダプタ筐体１１０の第一面１１１ａの外側（上方）に突出している。第三端子１２３の他方の端部１２２ｂは、アダプタ筐体１１０の内部にてアース引き出し部１９０に接続される。
【００６７】
アース引き出し部１９０は、第三端子１２３の他方の端部１２３ｂに接続される引き出し線１９０ｂと、引き出し線１９０ｂの先端に接続される端子本体１９０ａとを有している。引き出し線１９０ｂは、引き出し線１９０ｂと側壁１１３との接点を付け根とし、側壁１１３から外側に引き出されている。具体的には、引き出し線１９０ｂは、第一係止部材１３１及び第二係止部材１３２よりも上側に位置する側壁１１３から引き出されている。端子本体１９０ａは、例えば、器具筐体３１５の上側の表面に設けられたアース用接続端子（図示省略）に接続される。
【００６８】
変形例１の照明器具用アダプタ１００Ａも、アダプタ筐体１１０の内部から外側に引き出されたアダプタコネクタ部１８０と、アダプタ筐体１１０の内部から外側に引き出されたアース引き出し部１９０とを備えている。
【００６９】
照明器具用アダプタ１００Ａが上記構造を有することで、例えば、器具本体３１０を照明器具用アダプタ１００Ａに取り付けた場合に、第一端子１２１、第二端子１２２をアダプタコネクタ部１８０を介して器具本体３１０に接続し、第三端子１２３をアース引き出し部１９０を介して器具本体３１０に接続することができる。これにより、器具本体３１０に電力を供給し、かつ、器具本体３１０を接地することが可能となり、照明器具３００の安全性を向上することができる。
【００７０】
（その他の実施の形態）
以上、実施の形態について説明したが、本発明は、上記実施の形態に限定されるものではない。
【００７１】
例えば、上記実施の形態で説明された照明器具は一例であり、照明器具の具体的態様については特に限定されない。照明器具は、照明器具用アダプタを用いて引掛けシーリングボディに接続されるのであれば、どのような態様であってもよい。
【００７２】
また、照明器具用アダプタの具体的な態様についても特に限定されない。例えば、上記実施の形態では、照明器具用アダプタは、第一係止部材及び第二係止部材を備え、照明器具の器具本体は、照明器具用アダプタに係止した。しかしながら、照明器具用アダプタが第一係止部材及び第二係止部材を備えることは必須ではない。例えば、器具本体の取り付け孔の内周面、及び、照明器具用アダプタの筐体の側壁の外周面のそれぞれに螺旋状の溝が設けられ、器具本体及び照明器具用アダプタが螺合してもよい。
【００７３】
また、引掛シーリングボディの具体的態様についても特に限定されない。引掛シーリングボディとしては、丸型フル引掛シーリング、フル引掛ローゼット、丸型引掛シーリング、角型引掛シーリング、引掛埋込ローゼット、及び、引掛露出ローゼットなどが用いられる。
【００７４】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【符号の説明】
【００７５】
１００、１００Ａ  照明器具用アダプタ
１１０  アダプタ筐体
１１１ａ  第一面
１１２ａ  第二面
１１３  側壁
１２１  第一端子
１２１ａ、１２２ａ、１２３ａ  一方の端部
１２１ｂ、１２２ｂ、１２３ｂ  他方の端部
１２２  第二端子
１２３  第三端子
１８０  アダプタコネクタ部
１８０ａ  コネクタ本体
１８０ｂ  引き出し線
１９０  アース引き出し部
１９０ａ  端子本体
１９０ｂ  引き出し線
２００  引掛シーリングボディ
２２１、２２２  電力供給部
２２３  アース部
３００  照明器具
３１０  器具本体
３１３  器具側アース端子
３１５  器具筐体
３２０ａ、３２０ｂ  光源ユニット（発光部）
３３０  器具コネクタ
４００  照明器具セット
５２１、５２２  電力供給線
５２３  アース線
【図１】
2020087657.tif 000003
【図２】
2020087657.tif 000004
【図３】
2020087657.tif 000005
【図４】
2020087657.tif 000006
【図５】
2020087657.tif 000007
【図６】
2020087657.tif 000008
【図７】
2020087657.tif 000009